(57)【要約】   【課題】  複数の非接触ＩＣカードをカードホルダーに入れたままカードリーダ機器にかざせば、カードリーダ機器に対向している非接触ＩＣカードのみが照射磁界に反応してデータ通信が可能となるＩＣカードホルダーを提供する。  【解決手段】  導電体の仕切り板１１０と、仕切り板１１０に対する非接触ＩＣカード１０の配置を所定状態にする配置調整手段１２０を備える。配置調整手段１２０により仕切り板１１０と非接触ＩＣカード１０との間の距離を通信可能距離Ｌ１と通信不能距離Ｌ２との間で調整する。通信可能距離Ｌ１とは非接触ＩＣカード１０に対向するリーダ機器２０からの照射磁界に対して、仕切り板１１０において発生する渦電流の磁界の影響を受けても、非接触ＩＣカード１０とリーダ機器２０とのデータ通信が可能となる距離である。通信不能距離Ｌ２とは仕切り板１１０に近づき、仕切り板１１０において発生する渦電流の磁界の影響を受けてリーダ機器２０とのデータ通信が不能となる距離である。【選択図】  図１
2010176428.tif 000002
【特許請求の範囲】
【請求項１】
導電体の仕切り板と、
前記仕切り板に対する非接触ＩＣカードの配置を所定状態にする配置調整手段を備え、
前記配置調整手段が、前記仕切り板と前記非接触ＩＣカードとの間の距離を、前記非接触ＩＣカードに対向するリーダ機器からの照射磁界に対して、前記仕切り板において発生する渦電流の磁界の影響を受けても、前記非接触ＩＣカードと前記リーダ機器とのデータ通信が可能である通信可能距離に保つことを特徴とするＩＣカードホルダー。
【請求項２】
前記仕切り板と前記非接触ＩＣカードとの間に非導電性材料を充填せしめた請求項１に記載のＩＣカードホルダー。
【請求項３】
導電体の仕切り板と、
前記仕切り板に対する非接触ＩＣカードの配置を所定状態にする配置調整手段を備え、
前記配置調整手段により、前記仕切り板と前記非接触ＩＣカードとの間の距離を、リーダ機器からの照射磁界に対して、前記仕切り板において発生する渦電流の磁界の影響を受けても、前記リーダ機器とのデータ通信が可能である通信可能距離への切り替えと、前記リーダ機器とのデータ通信が不能である通信不能距離への切り替えを行うことができるＩＣカードホルダー。
【請求項４】
前記仕切り板を挟んで２枚の前記非接触ＩＣカードを収納し、
前記リーダ機器に対向させた場合に、前記配置調整手段により、２枚の前記非接触ＩＣカードのうち前記リーダ機器に対向している側の前記非接触ＩＣカードの前記仕切り板に対する距離を前記通信可能距離に切り替え、前記リーダ機器に対向していない側の前記非接触ＩＣカードの前記仕切り板に対する距離を前記通信不能距離に切り替えることを特徴とする請求項３に記載のＩＣカードホルダー。
【請求項５】
前記仕切り板を挟んで２枚の前記非接触ＩＣカードを収納し、
略垂直に立てた場合に、前記配置調整手段により、２枚の前記非接触ＩＣカードとも前記仕切り板に対する距離を前記通信不能距離に切り替え、
前記リーダ機器に対向させた場合に、前記配置調整手段により、２枚の前記非接触ＩＣカードのうち前記リーダ機器に対向している側の前記非接触ＩＣカードの前記仕切り板に対する距離を前記通信可能距離に切り替え、前記リーダ機器に対向していない側の前記非接触ＩＣカードの前記仕切り板に対する距離を前記通信不能距離に切り替えることを特徴とする請求項３に記載のＩＣカードホルダー。
【請求項６】
導電体の仕切り板と、
前記仕切り板に対する非接触ＩＣカードの配置を所定状態にする配置調整手段を備え、
前記配置調整手段により、前記非接触ＩＣカードの前記仕切り板に対する傾斜角度とリーダ機器に対する傾斜角度を、リーダ機器からの照射磁界により前記仕切り板において発生する渦電流の磁界の影響を受けても、前記リーダ機器からの照射磁界との電磁結合が大きく、データ通信が可能である通信可能傾斜角度とする切り替えと、前記リーダ機器からの照射磁界により前記仕切り板において発生する渦電流の磁界の影響が大きく、前記リーダ機器からの照射磁界との電磁結合が小さく、データ通信が不能である通信不能傾斜角度とする切り替えが可能であるＩＣカードホルダー。
【請求項７】
前記仕切り板を挟んで２枚の前記非接触ＩＣカードを収納し、
前記リーダ機器に対向させた場合に、前記配置調整手段により、２枚の前記非接触ＩＣカードのうち前記リーダ機器に対向している側の前記非接触ＩＣカードの前記仕切り板に対する傾斜角度を前記通信可能傾斜角度に切り替え、前記リーダ機器に対向していない側の前記非接触ＩＣカードの前記仕切り板に対する傾斜角度を前記通信不能傾斜角度に切り替えることを特徴とする請求項６に記載のＩＣカードホルダー。
【請求項８】
前記仕切り板を挟んで２枚の前記非接触ＩＣカードを収納し、
略垂直に立てた場合に、前記配置調整手段により、２枚の前記非接触ＩＣカードとも前記仕切り板に対する傾斜角度を前記通信不能傾斜角度に切り替え、
前記リーダ機器に対向させた場合に、前記配置調整手段により、２枚の前記非接触ＩＣカードのうち前記リーダ機器に対向している側の前記非接触ＩＣカードの前記仕切り板に対する傾斜角度を前記通信可能傾斜角度に切り替え、前記リーダ機器に対向していない側の前記非接触ＩＣカードの前記仕切り板に対する傾斜角度を前記通信不能傾斜角度に切り替えることを特徴とする請求項６に記載のＩＣカードホルダー。
【請求項９】
導電体の仕切り板と、
前記仕切り板に対する非接触ＩＣカードの配置を所定状態にする配置調整手段を備え、
前記配置調整手段により、前記非接触ＩＣカードの前記仕切り板に対する距離と傾斜角度を、リーダ機器からの照射磁界に対して、前記仕切り板において発生する渦電流の磁界の影響を受けても、前記リーダ機器からの照射磁界との電磁結合が大きく、データ通信が可能である通信可能距離・傾斜角度とする切り替えと、前記リーダ機器からの照射磁界により前記仕切り板において発生する渦電流の磁界の影響が大きく、前記リーダ機器からの照射磁界との電磁結合が小さく、データ通信が不能である通信不能距離・傾斜角度とする切り替えが可能であるＩＣカードホルダー。
【請求項１０】
前記仕切り板を挟んで２枚の前記非接触ＩＣカードを収納し、
前記リーダ機器に対向させた場合に、前記配置調整手段により、２枚の前記非接触ＩＣカードのうち前記リーダ機器に対向している側の前記非接触ＩＣカードの前記仕切り板に対する距離と傾斜角度を前記通信可能距離・傾斜角度に切り替え、前記リーダ機器に対向していない側の前記非接触ＩＣカードの前記仕切り板に対する距離と傾斜角度を前記通信不能距離・傾斜角度に切り替えることを特徴とする請求項９に記載のＩＣカードホルダー。
【請求項１１】
前記仕切り板を挟んで２枚の前記非接触ＩＣカードを収納し、
略垂直に立てた場合に、前記配置調整手段により、２枚の前記非接触ＩＣカードとも前記仕切り板に対する傾斜角度を前記通信不能傾斜角度に切り替え、
前記リーダ機器に対向させた場合に、前記配置調整手段により、２枚の前記非接触ＩＣカードのうち前記リーダ機器に対向している側の前記非接触ＩＣカードの前記仕切り板に対する距離と傾斜角度を前記通信可能距離・傾斜角度に切り替え、前記リーダ機器に対向していない側の前記非接触ＩＣカードの前記仕切り板に対する距離と傾斜角度を前記通信不能距離・傾斜角度に切り替えることを特徴とする請求項９に記載のＩＣカードホルダー。
【請求項１２】
前記配置調整手段が、前記非接触ＩＣカードが可動である空間を提供し、前記空間内において前記非接触ＩＣカードが当接する内壁面の前記仕切り板に対する距離と角度が前記非接触ＩＣカードを前記所定状態に配置する筐体である請求項３から１１のいずれか１項に記載のＩＣカードホルダー。
【請求項１３】
前記非接触ＩＣカードの前記空間内での移動手段が重力である請求項１２に記載のＩＣカードホルダー。
【請求項１４】
前記非接触ＩＣカードの前記空間内での移動手段が弾性体と前記弾性体の状態を制御するスイッチ操作である請求項１２に記載のＩＣカードホルダー。
【請求項１５】
前記非接触ＩＣカードの前記空間内での移動手段がスライダーと前記スライダーの状態を制御するスイッチ操作である請求項１２に記載のＩＣカードホルダー。
【請求項１６】
前記非接触ＩＣカードの前記空間内での移動手段が利用者の指による操作である請求項１２に記載のＩＣカードホルダー。
【請求項１７】
前記配置調整手段が、前記非接触ＩＣカードが可動である回転軸を提供し、前記回転軸に沿って前記非接触ＩＣカードの前記仕切り板に対する距離と角度が前記所定状態に移動可能とした筐体である請求項３から１１のいずれか１項に記載のＩＣカードホルダー。
【請求項１８】
前記非接触ＩＣカードの前記回転軸に沿った移動手段が利用者の指による操作である請求項１７に記載のＩＣカードホルダー。
【請求項１９】
外部からの磁界照射を受けて電流を生じるアンテナコイルと、前記アンテナコイルで得た起電力により前記非接触ＩＣカードに対する前記磁界照射があったことを利用者が五感により認識可能な方法で通知するアクセス検知体とを備えた請求項１から１８のいずれか１項に記載のＩＣカードホルダー。
【発明の詳細な説明】
【技術分野】
【０００１】
本発明は、非接触ＩＣカードへのアクセスを制御するＩＣカードホルダーに関する。例えば非接触ＩＣカードへのアクセスを制御するＩＣカードホルダーとして適用する。
本発明のＩＣカードホルダーは、非接触ＩＣカードを収納し、非接触ＩＣカードの利用支援と、外部からの非接触ＩＣカードへの不正アクセスを防止するものである。
非接触ＩＣカードとしては、アンテナコイルとＩＣチップとを内蔵したものであれば適用可能であり、例えば、交通機関の改札カード、金融機関のキャッシュカードやクレジットカード、入退室管理カードなどその用途は限定されない。
【背景技術】
【０００２】
近年、アンテナコイルとＩＣチップとを内蔵した非接触ＩＣカードの普及が進んでいる。交通機関の改札システム、高速道路の自動車料金徴収システム、金融機関のキャッシュカードやクレジットカードシステム、入退室管理システム、工場における製品管理システムなど多様な用途に用いられ始めている。これら非接触ＩＣカードとの間で通信を確立する技術としてＲＦＩＤ（Radio Frequency Identification）技術が用いられている。ＲＦＩＤは非接触ＩＣカードとカードリーダ機器との間でＩＤ情報を交換して相手側を認識し、各種データを通信する自動認識技術の一つである。
【０００３】
非接触ＩＣカードはアンテナコイルを備え、ＲＦＩＤ技術を用いた非接触ＩＣカードシステムでは、非接触ＩＣカードとカードリーダとの間で電磁結合によって通信路を確立して様々な情報のやり取りを行う。カードリーダは所定周波数の発振磁界（交流磁界）を放射し、カードリーダ近傍の一定領域の空間に読み取り空間を作る。この読み取り空間内に非接触ＩＣカードをかざせば、カードリーダから放射された磁力線が非接触ＩＣカードに内蔵されているアンテナコイルのループ内を下側から上側に貫きつつ外側へ回り込みループ外を上側から下側に通り再びカードリーダに戻る磁路が形成される。このようにアンテナコイルとカードリーダが電磁結合するので電磁誘導により非接触ＩＣカード内に電流が供給されるとともに、この所定周波数の発振磁界を信号搬送波として非接触ＩＣカードとカードリーダとの間で通信が行われる。
【０００４】
非接触ＩＣカードの所有者は、システムの利用にあたり、カードリーダに非接触ＩＣカードをかざし、非接触ＩＣカードとカードリーダを介した制御システム側との間でＩＤ情報の交換と必要なデータの通信を行う。このように非接触ＩＣカードを用いたカードシステムは広がりつつあるが、特に利用者数が多く、実際に先行して導入されているものとして交通機関の改札カードシステムが挙げられる。いわゆる利用者の乗車券や定期券が非接触ＩＣカードであり、改札機上面にカードリーダが組み込まれ、改札機内に制御システムが組み込まれている。利用者は乗車券や定期券である非接触ＩＣカードを改札機上面のカードリーダにかざすと、改札機と非接触ＩＣカードとの間でＩＤ情報と必要なデータが交換され、改札機の改札ゲートの適切に開閉処理が行われる。
【０００５】
この非接触ＩＣカードの利便性を損なう問題がいくつか指摘されている。
非接触ＩＣカードの利便性を損なう第１の問題として、複数枚の非接触ＩＣカードを一つのホルダーに入れてカードリーダ機器にかざすとカードリーダ機器からの磁界照射に対して両方の非接触ＩＣカードが反応してしまい、リーダ機器において読み取りエラーとなってしまうという、複数枚の非接触ＩＣカードの同時読み取りエラーの問題がある。従来技術において、この同時読み取りエラーを防止する技術としては、非接触ＩＣカードの間にアルミニウムや銅などの導電体を挟み込む技術が多数開示されている。例えば、特許３８２２１５３号公報に開示された技術などがある。これらは、照射磁界に対して直接対向する非接触ＩＣカードのみ照射磁界に反応し、照射磁界に対して導電体の裏側に位置する非接触ＩＣカードには導電体の持つ電磁遮蔽能により照射磁界が届かないようにして反応しないように制御するものである。例えば、２枚の非接触ＩＣカードの間に導電体を挟み込んでカードホルダーに入れ、使用時には、使用したい非接触ＩＣカードが収納された面をカードリーダ機器に対向させるようにかざすことにより使用するものである。
【０００６】
実際には、導電体が照射磁界を遮断する原理は次のように説明できる。導電体は照射磁界を受けると渦電流が生じ、当該渦電流によって逆向きの磁界を発生させ、この導電体が逆向きに返す磁界とカードリーダ機器からの照射磁界とが打ち消し合うため、照射磁界が導電体を透過しない。つまり、照射磁界が導電体によりキャンセルされるため導電体を透過することなく遮断される。このように、非接触ＩＣカードとカードリーダ機器との間に導電体を介在させれば、カードリーダ機器が照射する磁界を相殺し、非接触ＩＣカードに対して照射磁界が届かない。
【０００７】
しかし、上記のように、２枚の非接触ＩＣカードのうち、カードリーダ機器とは対向せずに導電体の裏側に位置する非接触ＩＣカードは、カードリーダ機器からの照射磁界が直接届かないのでカードリーダ機器に反応することはないが、実際には、上記導電体に生じる渦電流による逆向きの磁界により、カードリーダ機器に対向する側の非接触ＩＣカードもカードリーダ機器に反応することがないという問題が生じる。つまり、単に２枚の非接触ＩＣカードの間に導電体を挟み込んでカードホルダーに収納しただけでは、今度は両方の非接触ＩＣカードとも反応しなくなってしまうという問題が発生するのである。
【０００８】
そこで、カードリーダ機器に対向する側の非接触ＩＣカードに対して、上記導電体に生じる渦電流による逆向きの磁界に打ち勝つだけのカードリーダ機器からの照射磁界を引き込むために磁性体を配する技術が知られている。例えば、特許３８７２４９６号、特許第３８７２４９６号などを挙げることができる。
【０００９】
次に、非接触ＩＣカードの利便性を損なう第２の問題として、スキミングによる情報盗用の問題がある。旧来の接触型ＩＣカードの場合はカードリーダ機器に挿入しないとデータの読み書きができないが、非接触ＩＣカードは、外部から磁界を照射することにより非接触で情報盗用が可能となる。つまり、非接触ＩＣカードが入っている利用者のポケットやかばんの近くにカードリーダ機器をかざすことにより、非接触でＩＣカード内に記録されている情報が盗用されるおそれがあり、スキミングの防止技術の向上が求められている。
【００１０】
スキミングを防止する従来技術として、特開平１０−３０７９０２号公報や特開平１１−０４５３１６号公報に開示された技術が知られている。これらは、非接触ＩＣカードを保持するカードケース自体を導電性材料で製作し、非接触ＩＣカードをカードケースに保持している状態において外部から非接触ＩＣカードに届く電磁波をすべて遮断することによりスキミングを防止するものである。非接触ＩＣカードの周囲が導電性素材の中に保持されている限り、外部のいかなる方向から放射される磁界に対しても遮断能力が働き、非接触ＩＣカードとカードリーダが電磁結合することはない。
【先行技術文献】
【特許文献】
【００１１】
【特許文献１】特許３８２２１５３号公報
【特許文献２】特許３８７２４９６号
【特許文献３】特許第３８７２４９６号
【特許文献４】特開平１０−３０７９０２号公報
【特許文献５】特開平１１−０４５３１６号公報
【発明の概要】
【発明が解決しようとする課題】
【００１２】
まず、上記従来の複数枚の非接触ＩＣカードの同時読み取りエラーを防止するために導電体を間に挟み込む従来技術では、磁性体を必要とするため、コストの問題があった。導電体の渦電流による反射磁界に打ち勝つため、カードリーダ機器に対向する側の非接触ＩＣカードに対して照射磁界を強くひきこむ必要があるために磁性体が配されるが、磁性体自体のコストが高い上、磁性体を導電体などに貼り付け加工する製造コストも高くなり、ＩＣカードホルダー全体のコストアップを招いていた。磁性体自体のコストが高いため、磁性体の使用量を少しでも低減することができればＩＣカードホルダーのコストを効果的に低減することができる。
【００１３】
次に、上記従来のスキミングを防止する技術では、利便性の問題があった。従来技術によれば非接触ＩＣカードを使用する際には非接触ＩＣカードをカードケースから取り出して使用しなければならない。つまり、カードケースに入れたままカードリーダにかざしたとしても導電性素材の磁界遮断能力によりカードリーダと非接触ＩＣカードが電磁結合することはなく、非接触ＩＣカードを用いることはできない。
また、スキミングを防止するために導電体を効果的に用いる必要があるが、前述した従来の複数枚の非接触ＩＣカードの同時読み取りエラーを防止するために導電体を間に挟み込む従来技術において磁性体を用いた場合、磁性体は照射磁界を引き込んでしまうので、スキミングを防止しつつ非接触ＩＣカードの読み取りエラーをなくすには、利用者が使用を企図した非接触ＩＣカードに対してのみ照射磁界を引き込む読み取り状態と、利用者が使用を企図しない場合には照射磁界を効果的にキャンセルするという保護状態との切り替え制御を簡易な構造で実現する必要がある。その読み取り状態と保護状態の切り替えが簡単に行える構造でなければ利便性が棄損してしまう。
【００１４】
本発明は上述の問題に鑑み、複数の非接触ＩＣカードをカードホルダーに入れたままカードリーダ機器にかざせば、カードリーダ機器に対向している非接触ＩＣカードのみが照射磁界に反応してデータ通信が可能となり、カードリーダ機器に対して導電体の裏側に位置する非接触ＩＣカードは電磁遮蔽され、照射磁界が届かずにデータ通信が不能となり、両方の非接触ＩＣカードが反応することのない、アクセス制御が可能であるＩＣカードホルダーを提供することを目的とする。
【００１５】
また、本発明は上述の問題に鑑み、導電体における渦電流による反射磁界の影響に打ち勝ち、カードリーダ機器と対向する非接触ＩＣカードに対して照射磁界を引き込むための磁性体の使用量を低減し、製造コストを低減せしめたＩＣカードホルダーを提供することを目的とする。
また、本発明は、上述の問題に鑑み、非接触ＩＣカードをカードケースに入れたままカードリーダにかざせば非接触ＩＣカード使用できるというメリットを維持しつつ、外部からのスキミングを確実に防止することができるＩＣカードホルダーを提供することを目的とする。
【課題を解決するための手段】
【００１６】
上記目的を達成するため、本発明の第１のＩＣカードホルダーは、導電体の仕切り板と、前記仕切り板に対する非接触ＩＣカードの配置を所定状態にする配置調整手段を備え、前記配置調整手段が、前記仕切り板と前記非接触ＩＣカードとの間の距離を、前記非接触ＩＣカードに対向するリーダ機器からの照射磁界に対して、前記仕切り板において発生する渦電流の磁界の影響を受けても、前記非接触ＩＣカードと前記リーダ機器とのデータ通信が可能である通信可能距離に保つことを特徴とするＩＣカードホルダーである。
ここで、前記仕切り板と前記非接触ＩＣカードとの間は何もない空間でも良く、非導電性材料を充填せしめても良い。
【００１７】
上記本発明の第１のＩＣカードホルダーによれば、導電体に対する非接触ＩＣカードの配置位置として、カードリーダ機器に対向するように非接触ＩＣカードが位置した場合、導電体の渦電流により生じる反射磁界の影響に打ち勝って、対向するカードリーダ機器から照射された磁界に反応する一方、対向しないように非接触ＩＣカードが位置した場合、導電体の遮断性能によりカードリーダ機器から照射された磁界に反応しないという配置位置に調整することができ、簡単な構造にて複数枚の非接触ＩＣカードの同時読み取りエラーを防止することができる。
【００１８】
次に、上記目的を達成するため本発明の第２のＩＣカードホルダーは、導電体の仕切り板と、前記仕切り板に対する非接触ＩＣカードの配置を所定状態にする配置調整手段を備え、前記配置調整手段により、前記仕切り板と前記非接触ＩＣカードとの間の距離を、リーダ機器からの照射磁界に対して、前記仕切り板において発生する渦電流の磁界の影響を受けても、前記リーダ機器とのデータ通信が可能である通信可能距離への切り替えと、前記リーダ機器とのデータ通信が不能である通信不能距離への切り替えを行うことができるＩＣカードホルダーである。
【００１９】
例えば、前記仕切り板を挟んで２枚の前記非接触ＩＣカードを収納し、前記リーダ機器に対向させた場合に、前記配置調整手段により、２枚の前記非接触ＩＣカードのうち前記リーダ機器に対向している側の前記非接触ＩＣカードの前記仕切り板に対する距離を前記通信可能距離に切り替え、前記リーダ機器に対向していない側の前記非接触ＩＣカードの前記仕切り板に対する距離を前記通信不能距離に切り替える。
【００２０】
上記本発明の第２のＩＣカードホルダーによれば、仕切り板と非接触ＩＣカードとの距離を通信可能距離と通信不能距離の２つの状態で切り替えることにより、カードリーダ機器での読み取り時には仕切り板との距離を大きくして導電体による電磁遮断性能の影響を小さくし、カードリーダ機器から照射される磁界によりデータ通信しやすい状態とし、読み取り時以外の時は仕切り板との距離を小さくして導電体による電磁遮断性能の影響を大きくし、データ通信を不能とすることができる。
【００２１】
なお、上記本発明の第２のＩＣカードホルダーは、カードリーダ機器での読み取り時以外の時には略垂直に立て、前記配置調整手段により、２枚の前記非接触ＩＣカードとも前記仕切り板に対する距離を前記通信不能距離に切り替えることが好ましい。非接触ＩＣカードの使用時には使用する非接触ＩＣカードがカードリーダ機器に対向するようにかざして略水平にする一方、使用時以外は胸ポケットなどに入れて略垂直に立てているので、垂直時には、２枚の非接触ＩＣカードとも前記仕切り板に対して近づけて通信不能距離にすれば、スキミングに対する防止性能が向上する。
【００２２】
次に、上記目的を達成するため本発明の第３のＩＣカードホルダーは、導電体の仕切り板と、前記仕切り板に対する非接触ＩＣカードの配置を所定状態にする配置調整手段を備え、
前記配置調整手段により、前記非接触ＩＣカードの前記仕切り板に対する傾斜角度とリーダ機器に対する傾斜角度を、リーダ機器からの照射磁界により前記仕切り板において発生する渦電流の磁界の影響を受けても、前記リーダ機器からの照射磁界との電磁結合が大きく、データ通信が可能である通信可能傾斜角度とする切り替えと、前記リーダ機器からの照射磁界により前記仕切り板において発生する渦電流の磁界の影響が大きく、前記リーダ機器からの照射磁界との電磁結合が小さく、データ通信が不能である通信不能傾斜角度とする切り替えが可能であるＩＣカードホルダーである。
【００２３】
例えば、前記仕切り板を挟んで２枚の前記非接触ＩＣカードを収納し、前記リーダ機器に対向させた場合に、前記配置調整手段により、２枚の前記非接触ＩＣカードのうち前記リーダ機器に対向している側の前記非接触ＩＣカードの前記仕切り板に対する傾斜角度を前記通信可能傾斜角度に切り替え、前記リーダ機器に対向していない側の前記非接触ＩＣカードの前記仕切り板に対する傾斜角度を前記通信不能傾斜角度に切り替えることができる。
【００２４】
上記本発明の第３のＩＣカードホルダーによれば、仕切り板と非接触ＩＣカードとの傾斜角度を通信可能傾斜角度と通信不能傾斜角度の２つの状態で切り替えることにより、カードリーダ機器での読み取り時には仕切り板との傾斜角度を大きくして導電体による電磁遮断性能の影響を小さくし、カードリーダ機器から照射される磁界によりデータ通信しやすい状態とし、読み取り時以外の時は仕切り板との傾斜角度を小さくして導電体による電磁遮断性能の影響を大きくし、データ通信を不能とすることができる。
【００２５】
なお、上記本発明の第３のＩＣカードホルダーは、カードリーダ機器での読み取り時以外の時には略垂直に立て、前記配置調整手段により、２枚の前記非接触ＩＣカードとも前記仕切り板に対する傾斜角度を前記通信不能傾斜角度に切り替えることが好ましい。非接触ＩＣカードの使用時には使用する非接触ＩＣカードがカードリーダ機器に対向するようにかざして略水平にする一方、使用時以外は胸ポケットなどに入れて略垂直に立てるので、垂直時には、２枚の非接触ＩＣカードとも前記仕切り板に対して近づけて通信不能傾斜角度にすれば、スキミングに対する防止性能が向上する。
【００２６】
次に、上記目的を達成するため本発明の第４のＩＣカードホルダーは、導電体の仕切り板と、前記仕切り板に対する非接触ＩＣカードの配置を所定状態にする配置調整手段を備え、
前記配置調整手段により、前記非接触ＩＣカードの前記仕切り板に対する距離と傾斜角度を、リーダ機器からの照射磁界に対して、前記仕切り板において発生する渦電流の磁界の影響を受けても、前記リーダ機器からの照射磁界との電磁結合が大きく、データ通信が可能である通信可能距離・傾斜角度とする切り替えと、前記リーダ機器からの照射磁界により前記仕切り板において発生する渦電流の磁界の影響が大きく、前記リーダ機器からの照射磁界との電磁結合が小さく、データ通信が不能である通信不能距離・傾斜角度とする切り替えが可能であるＩＣカードホルダーである。
【００２７】
つまり、第４のＩＣカードホルダーとして、第２のＩＣカードホルダーと第３のＩＣカードホルダーを組み合わせて、仕切り板と非接触ＩＣカードとの距離と傾斜角度の調整を組み合わせて制御する仕組みも可能である。
【００２８】
上記第２、第３、第４のＩＣカードホルダーの配置調整手段として以下のものがある。
例えば、配置調整手段が、箱状の筐体であり、非接触ＩＣカードが可動である空間を提供し、前記空間内において前記非接触ＩＣカードが当接する内壁面の前記仕切り板に対する距離と角度が前記非接触ＩＣカードを前記所定状態に配置する筐体である。このような筐体の中に非接触ＩＣカードを入れて移動させることにより、内壁面に当接することにより導電体との距離や傾斜角度が調整できる。非接触ＩＣカードの前記空間内での移動手段としては、重力による移動、弾性体の押圧による移動、スライダーの押圧による移動、利用者の指による移動などがある。
【００２９】
また、例えば、配置調整手段が、本のように共通した回転軸を持つ筐体であり、非接触ＩＣカードが可動である回転軸を提供し、前記回転軸に沿って前記非接触ＩＣカードの前記仕切り板に対する距離と角度が前記所定状態に移動可能とした筐体である。このような筐体の中に非接触ＩＣカードを入れて回転させることにより、導電体との距離や傾斜角度が調整できる。非接触ＩＣカードの前記回転軸に沿った移動手段としては利用者の指による移動などがある。
【００３０】
また、スキミング防止に資するように、検知機能を設けることが好ましい。例えば、外部からの磁界照射を受けて電流を生じるアンテナコイルと、前記アンテナコイルで得た起電力により前記非接触ＩＣカードに対する前記磁界照射があったことを利用者が五感により認識可能な方法で通知するアクセス検知体とを備えたものとする。
【発明の効果】
【００３１】
本発明のＩＣカードホルダーによれば、複数の非接触ＩＣカードをカードホルダーに入れたままカードリーダ機器にかざせば、カードリーダ機器に対向している非接触ＩＣカードのみが照射磁界に反応してデータ通信が可能となり、カードリーダ機器に対して導電体の裏側に位置する非接触ＩＣカードは電磁遮蔽され、照射磁界が届かずにデータ通信が不能となり、両方の非接触ＩＣカードが反応することのない、アクセス制御が可能となる。
【図面の簡単な説明】
【００３２】
【図１】実施例１にかかるＩＣカードホルダー１００ａの基本構造を模式的に示す図
【図２】非接触ＩＣカード１０を仕切り板１１０ａから通信可能距離Ｌ１だけ離して配置した場合の磁界とデータ通信の様子を示す図
【図３】実施例２にかかるＩＣカードホルダー１００ｂの基本構造を模式的に示す図
【図４】非接触ＩＣカード１０を仕切り板１１０から通信可能距離Ｌ１だけ離して配置した場合の磁界とデータ通信の様子を示す図
【図５】実施例３にかかるＩＣカードホルダー１００ｃの基本構造を模式的に示す図
【図６】実施例３のＩＣカードホルダー１００ｃの使用状態の例を模式的に示す図
【図７】実施例４にかかるＩＣカードホルダー１００ｄの基本構造を模式的に示す図
【図８】実施例４のＩＣカードホルダー１００ｄの使用状態の例を模式的に示す図
【図９】実施例５にかかるＩＣカードホルダー１００ｅの基本構造を模式的に示す図
【図１０】実施例５のＩＣカードホルダー１００ｅの使用状態の例を模式的に示す図
【図１１】スイッチ１２５の押下などの操作によりスライダーを動かして仕込み板１１０に対する非接触ＩＣカード１０ａ、１０ｂの傾斜角度状態を制御する様子を示す図
【図１２】実施例６にかかるＩＣカードホルダー１００ｆの基本構造を模式的に示す図
【図１３】実施例６のＩＣカードホルダー１００ｆのポケットを利用者の指で押して移動させた様子を示す図
【図１４】実施例７にかかるＩＣカードホルダー１００ｇの基本構造を模式的に示す図
【図１５】実施例７のＩＣカードホルダー１００ｇの使用状態の例を模式的に示す図
【図１６】実施例８のＩＣカードホルダー１００ｈの動作を側面から模式的に示す図
【発明を実施するための形態】
【００３３】
以下、図面を参照しつつ、本発明のＩＣカードホルダーの実施例を説明する。
本発明の範囲は以下の実施例に示した具体的な形状、個数、角度などには限定されないことは言うまでもない。
【実施例１】
【００３４】
実施例１にかかるＩＣカードホルダー１００ａは、本発明の第１のＩＣカードホルダーのうち、中空タイプの基本形である。導電体の仕切り板と、仕切り板に対する非接触ＩＣカードの相対的な配置位置を調整する配置調整手段を備え、仕切り板に対する非接触ＩＣカードの相対的な配置位置を通信可能距離に固定するものである。
本発明の第１のＩＣカードホルダー１００ａの形状やデザインは限定されないが、本実施例１では一例として略直方体の形状として説明する。
【００３５】
図１は、実施例１にかかる第１のＩＣカードホルダー１００ａの基本構造を模式的に示す図である。図１（ａ）は正面図、図１（ｂ）は側面図、図１（ｃ）は断面図である。
実施例１のＩＣカードホルダー１００ａは、導電体の仕切り板１１０と、配置調整手段１２０ａを備えている。
【００３６】
仕切り板１１０は、アルミニウムや銅などの金属素材の導電体であり、外形は概ね、非接触ＩＣカード１０の外形等と同様で良い。
【００３７】
配置調整手段１２０ａは、非接触ＩＣカード１０の配置を所定状態にするものであり、この構成例では筐体であり、非接触ＩＣカード１０を導電体１１０から一定距離を離して保持するポケット１２１が設けられた構造となっている。
ポケット１２１に非接触ＩＣカード１０を収めると、非接触ＩＣカード１０は仕切り板１１０ａに対して一定距離離れた位置に固定されることとなる。
【００３８】
ここで、仕切り板１１０と非接触ＩＣカード１０との間の距離Ｌ１は、非接触ＩＣカード１０に対向するリーダ機器２０からの照射磁界に対して、仕切り板１１０において発生する渦電流の磁界の影響を受けても、非接触ＩＣカード１０とリーダ機器２０とのデータ通信が可能である距離（本発明では、「通信可能距離」と定義する）となっている。
【００３９】
図２は非接触ＩＣカード１０を仕切り板１１０から通信可能距離Ｌ１だけ離して配置した場合の磁界とデータ通信の様子を示す図である。
図２（ａ）に見るように、リーダ機器２０に対向する非接触ＩＣカード１０ａには、対向するリーダ機器２０から十分な照射磁界が当てられてデータ通信が行われる一方、仕切り板１１０で生じる渦電流により発生する反射磁界の影響を十分小さく、データ通信が阻害されない。仕切り板１１０の裏側に位置する非接触ＩＣカード１０ｂにはリーダ機器２０から照射された照射磁界は仕切り板の電磁遮蔽能力により磁界が透過しないため、反応することがない。
【００４０】
図２（ｂ）に見るように、ＩＣカードホルダー１００ａを逆にし、非接触ＩＣカード１０ｂをリーダ機器２０に対向するようにすると、非接触ＩＣカード１０ｂには、対向するリーダ機器２０から十分な照射磁界が当てられてデータ通信が行われる一方、仕切り板１１０で生じる渦電流により発生する反射磁界の影響を十分小さく、データ通信が阻害されない。仕切り板１１０の裏側に位置する非接触ＩＣカード１０ａにはリーダ機器２０から照射された照射磁界は仕切り板の電磁遮蔽能力により磁界が透過しないため、反応することがない。
【００４１】
図２（ｃ）は非接触ＩＣカード１０とカードリーダ機器２０との電磁結合の様子を模式的に示した図である。非接触ＩＣカード１０がカードリーダ機器２０に近接・正対しているとカードリーダ機器２０から照射される照射磁界との電磁結合が大きくなる一方、導電体の仕切り板１１０とは距離が離れており、導電体の仕切り板１１０に励起される渦電流に起因する反射磁界との電磁結合は小さくなる。そのため、カードリーダ機器とのデータ通信が可能となる様子が分かる。
【００４２】
つまり、本実施例１のＩＣカードホルダー１００ａによれば、複数の非接触ＩＣカード１０をカードホルダーのポケット１２１に収めてカードリーダ機器２０にかざせば、導電体の仕切り板１１０の渦電流により生じる反射磁界の影響に打ち勝ってカードリーダ機器に対向している非接触ＩＣカードのみが照射磁界に反応してデータ通信が可能となり、カードリーダ機器に対して導電体の裏側に位置する非接触ＩＣカードは電磁遮蔽され、照射磁界が届かずにデータ通信が不能となり、両方の非接触ＩＣカードが反応することのない、アクセス制御が可能となる。つまり簡単な構造にて複数枚の非接触ＩＣカードの同時読み取りエラーを防止することができる。
【実施例２】
【００４３】
実施例２にかかるＩＣカードホルダー１００ｂは、本発明の第１のＩＣカードホルダーのうち、内部に非導電性素材で充填したタイプの基本形である。実施例１と同様、導電体の仕切り板１１０と、仕切り板１１０に対する非接触ＩＣカード１０の相対的な配置位置を調整する配置調整手段１２０ｂを備え、仕切り板に対する非接触ＩＣカードの相対的な配置位置を通信可能距離Ｌ１に固定するものであるが、本実施例２では配置調整手段１２０ｂは非接触ＩＣカードを収めるポケット１２１ではなく、仕切り板１１０と非接触ＩＣカード１０との間に非導電性材料１２２を充填せしめたものとなっている。
【００４４】
図３は、実施例２にかかるＩＣカードホルダー１００ｂの基本構造を模式的に示す図である。図３（ａ）は正面図、図３（ｂ）は側面図、図３（ｃ）は断面図である。
実施例２のＩＣカードホルダー１００ｂは、導電体の仕切り板１１０と、配置調整手段１２０ｂを備えている。
【００４５】
仕切り板１１０は、実施例１の仕切り板と同様で良い。
配置調整手段１２０ｂは、非接触ＩＣカード１０の配置を所定状態にするものであり、この構成例では筐体であり、非接触ＩＣカード１０を導電体１１０から一定距離を離して保持するように内部に非導電性素材１２２が充填された構造となっている。
【００４６】
非導電性材料１２２の材質は特に限定されないが、ここでは、プラスチックなどの非導電性材料とする。非導電性材料１２２の役割は、図３（ｃ）に示すように、導電体１１０と非接触ＩＣカード１０との間に介在し、その厚みによって導電体１０に対する非接触ＩＣカード１０の位置を固定するものである。つまり、非接触ＩＣカード１０ａを筐体の内周壁面に沿わせて収めると、非導電性素材１２２ａと筐体内壁との間に挟まれ、非接触ＩＣカード１０は仕切り板１１０に対して一定距離離れた位置に固定されることとなる。
【００４７】
ここで、仕切り板１１０と非接触ＩＣカード１０ａとの間の距離は、実施例１と同様、非接触ＩＣカード１０に対向するリーダ機器２０からの照射磁界に対して、仕切り板１１０において発生する渦電流の磁界の影響を受けても、非接触ＩＣカード１０とリーダ機器２０とのデータ通信が可能である通信可能距離Ｌ１となっている。
図４は非接触ＩＣカード１０を仕切り板１１０から通信可能距離Ｌ１だけ離して配置した場合の磁界とデータ通信の様子を示す図である。
【００４８】
図４（ａ）に見るように、リーダ機器２０に対向する非接触ＩＣカード１０ａには、対向するリーダ機器２０から十分な照射磁界が当てられてデータ通信が行われる一方、仕切り板１１０で生じる渦電流により発生する反射磁界の影響を十分小さく、データ通信が阻害されない。仕切り板１１０の裏側に位置する非接触ＩＣカード１０ｂにはリーダ機器２０から照射された照射磁界は仕切り板の電磁遮蔽能力により磁界が透過しないため、反応することがない。
【００４９】
図４（ｂ）に見るように、ＩＣカードホルダー１００ｂを逆にし、非接触ＩＣカード１０ｂをリーダ機器２０に対向するようにすると、非接触ＩＣカード１０ｂには、対向するリーダ機器２０から十分な照射磁界が当てられてデータ通信が行われる一方、仕切り板１１０で生じる渦電流により発生する反射磁界の影響を十分小さく、データ通信が阻害されない。仕切り板１１０の裏側に位置する非接触ＩＣカード１０ａにはリーダ機器２０から照射された照射磁界は仕切り板の電磁遮蔽能力により磁界が透過しないため、反応することがない。
【００５０】
図４（ｃ）は非接触ＩＣカード１０とカードリーダ機器２０との電磁結合の様子を模式的に示した図である。非接触ＩＣカード１０がカードリーダ機器２０に近接・正対しているとカードリーダ機器２０から照射される照射磁界との電磁結合が大きくなる一方、導電体の仕切り板１１０とは非導電性素材１２２の存在により、距離Ｌ１離れており、導電体の仕切り板１１０に励起される渦電流に起因する反射磁界との電磁結合は小さくなる。そのため、カードリーダ機器とのデータ通信が可能となる様子が分かる。
【００５１】
つまり、本実施例２のＩＣカードホルダー１００ｂによれば、複数の非接触ＩＣカードをカードホルダーに入れたままカードリーダ機器にかざせば、カードリーダ機器に対向している非接触ＩＣカードのみが照射磁界に反応してデータ通信が可能となり、カードリーダ機器に対して導電体の裏側に位置する非接触ＩＣカードは電磁遮蔽され、照射磁界が届かずにデータ通信が不能となり、両方の非接触ＩＣカードが反応することのない、アクセス制御が可能となる。
【実施例３】
【００５２】
実施例３にかかるＩＣカードホルダー１００ｃは、本発明の第２のＩＣカードホルダーのうち、筐体内で非接触ＩＣカードの導電体への相対位置を変化させ、通信可能距離Ｌ１と通信不能距離Ｌ２との間で切り替え可能とした相対位置切り替えタイプの基本形である。
ＩＣカードホルダー１００ｃの形状やデザインは限定されないが、本実施例３では一例として略直方体の形状として説明する。
【００５３】
図５は、実施例３にかかるＩＣカードホルダー１００ｃの基本構造を模式的に示す図である。図５（ａ）は正面図、図５（ｂ）は側面図、図５（ｃ）は断面図である。
実施例３のＩＣカードホルダー１００ｃは、導電体の仕切り板１１０と、配置調整手段１２０ｃを備えている。
【００５４】
仕切り板１１０は、実施例１の仕切り板と同様で良い。
配置調整手段１２０ｃは、非接触ＩＣカード１０の配置を所定状態にするものであり、仕切り板１１０と非接触ＩＣカード１０との間の距離を、リーダ機器２０からの照射磁界に対して、仕切り板１１０において発生する渦電流の磁界の影響を受けても、リーダ機器２０とのデータ通信が可能である通信可能距離Ｌ１への切り替えと、リーダ機器２０とのデータ通信が不能である通信不能距離Ｌ２への切り替えを行う。
【００５５】
この構成例では、図５（ｃ）に示すように、筐体内を空洞とし、内部の非接触ＩＣカード１０が自由に動くようにし、ＩＣカードホルダー１００ｃをカードリーダ機器２０にかざすと内部の非接触ＩＣカード１０が重力で落下して動くようになっている。
つまり、中空の筐体内に仕切り板１１０を挟んで２枚の非接触ＩＣカード１０ａ，１０ｂを収納して自由に移動できるようにしておく。
【００５６】
図６は実施例３のＩＣカードホルダー１００ｃの使用状態の例を模式的に示す図である。
図６（ａ）のように非接触ＩＣカード１０ａをリーダ機器２０に対向させた場合、２枚の非接触ＩＣカード１０ａ、１０ｂとも内部で下方に落ちて当接し、非接触ＩＣカード１０ａはリーダ機器２０に対向しつつ仕切り板１１０に対する距離が通信可能距離Ｌ１となる。一方、リーダ機器２０に対向していない側の非接触ＩＣカード１０ｂは仕切り板１１０に当接してその距離が通信不能距離Ｌ２となる。
【００５７】
一方、ＩＣカードホルダー１００ｃを逆さにし、図６（ｂ）のように非接触ＩＣカード１０ｂをリーダ機器２０に対向させた場合、２枚の非接触ＩＣカード１０ａ、１０ｂとも筐体内部で移動して下方に落ちて当接するが、非接触ＩＣカード１０ｂはリーダ機器２０に対向しつつ仕切り板１１０に対する距離が通信可能距離Ｌ１となる一方、リーダ機器２０に対向していない側の非接触ＩＣカード１０ａは仕切り板１１０に当接してその距離が通信不能距離Ｌ２となる。
つまり、図６（ａ）の場合と図６（ｂ）の場合は、ＩＣカードホルダー１００ｃをリーダ機器２０にかざすだけで内部の非接触ＩＣカード１０ａ、１０ｂの通信可否の状態が切り替わり、常にリーダ機器２０にかざした側の非接触ＩＣカードのみがデータ通信可能状態となり、リーダ機器２０にはかざしていない側の非接触ＩＣカードはデータ通信不能状態に切り替わる。
【００５８】
上記実施例３のＩＣカードホルダー１００ｃによれば、仕切り板１１０と非接触ＩＣカード１０との距離を通信可能距離と通信不能距離の２つの状態で切り替えることにより、カードリーダ機器２０での読み取り時には仕切り板１１０との距離を大きくして導電体による電磁遮断性能の影響を小さくし、カードリーダ機器２０から照射される磁界によりデータ通信しやすい状態とし、読み取り時以外の時は仕切り板１１０との距離を小さくして導電体による電磁遮断性能の影響を大きくし、データ通信を不能とすることができる。
【実施例４】
【００５９】
実施例４にかかるＩＣカードホルダー１００ｄは、実施例３に示した本発明の第２のＩＣカードホルダー１００ｃの応用タイプであり、筐体内で非接触ＩＣカードの導電体への相対位置を変化させ、通信可能距離Ｌ１と通信不能距離Ｌ２との間で切り替え可能とした相対位置切り替えるとともに、通常の携帯時にポケットなどに垂直に保持している状態において、両側の非接触ＩＣカードとも、仕切り板１１０に対して通信不能距離Ｌ２となり、スキミング防止機能を向上させるタイプである。
ＩＣカードホルダー１００ｄの形状やデザインは限定されないが、本実施例４では一例として略直方体の形状として説明する。
【００６０】
図７は、実施例４にかかるＩＣカードホルダー１００ｄの基本構造を模式的に示す図である。図７（ａ）は正面図、図７（ｂ）は側面図、図７（ｃ）は断面図である。
実施例４のＩＣカードホルダー１００ｄは、導電体の仕切り板１１０と、配置調整手段１２０ｄを備えている。
【００６１】
仕切り板１１０は、実施例１の仕切り板と同様で良い。
配置調整手段１２０ｄは、非接触ＩＣカード１０の配置を所定状態にするものであり、仕切り板１１０と非接触ＩＣカード１０との間の距離を、リーダ機器２０からの照射磁界に対して、仕切り板１１０において発生する渦電流の磁界の影響を受けても、リーダ機器２０とのデータ通信が可能である通信可能距離Ｌ１への切り替えと、リーダ機器２０とのデータ通信が不能である通信不能距離Ｌ２への切り替えを行うとともに、カードリーダ機器２０での読み取り時以外の時、例えば、胸ポケットに携帯している時は、略垂直に立てて保持するが、その際、配置調整手段１２０ｄにより、２枚の非接触ＩＣカードとも仕切り板１１０に対する距離を通信不能距離Ｌ２に切り替える仕組みとなっている。
【００６２】
この構成例では、図７（ｃ）に示すように、筐体内を空洞とし、内部の非接触ＩＣカード１０が自由に動くようにし、筐体の内壁の側面の角度が工夫されている。つまり、中空の筐体内に仕切り板１１０を挟んで２枚の非接触ＩＣカード１０ａ，１０ｂを収納して自由に移動できるようにしておき、実施例３に比べて垂直に立てた時に下方に位置する筐体壁面の角度に切れ込みがあり、いずれの非接触ＩＣカードも仕切り板１１０に対して近づくように工夫されている。
【００６３】
図８は実施例４のＩＣカードホルダー１００ｄの使用状態の例を模式的に示す図である。  まず、図８（ａ）に示すように、実施例３と同様、非接触ＩＣカード１０ａをリーダ機器２０に対向させた場合、２枚の非接触ＩＣカード１０ａ、１０ｂとも内部で下方に落ちて当接し、非接触ＩＣカード１０ａはリーダ機器２０に対向しつつ仕切り板１１０に対する距離が通信可能距離Ｌ１となる。一方、リーダ機器２０に対向していない側の非接触ＩＣカード１０ｂは仕切り板１１０に当接してその距離が通信不能距離Ｌ２となる。
【００６４】
一方、図８（ｂ）のように非接触ＩＣカード１０ｂをリーダ機器２０に対向させた場合、２枚の非接触ＩＣカード１０ａ、１０ｂとも内部で下方に落ちて当接するが、非接触ＩＣカード１０ｂはリーダ機器２０に対向しつつ仕切り板１１０に対する距離が通信可能距離Ｌ１となる一方、リーダ機器２０に対向していない側の非接触ＩＣカード１０ａは仕切り板１１０に当接してその距離が通信不能距離Ｌ２となる。
【００６５】
次に、図８（ｃ）に示すように、ＩＣカードホルダー１００ｄを垂直に立てた場合、２枚の非接触ＩＣカード１０ａ、１０ｂとも内部で下方に落ちて当接するが、当接する壁面は仕切り板１１０に向けて角度がつけられており、非接触ＩＣカード１０ａ、１０ｂとも仕切り板１１０に対して近づくように移動し、非接触ＩＣカード１０ａ、１０ｂとも仕切り板１１０に当接してその距離が通信不能距離Ｌ２となる。
【００６６】
つまり、実施例４のＩＣカードホルダー１００ｄは、ＩＣカードホルダー１００ｄをリーダ機器２０にかざすだけで内部の非接触ＩＣカード１０ａ、１０ｂの通信可否の状態が切り替わり、常にリーダ機器２０にかざした側の非接触ＩＣカードのみがデータ通信可能状態となり、リーダ機器２０にはかざしていない側の非接触ＩＣカードはデータ通信不能状態に切り替わり、携帯時の垂直に立てた保持状態では、いずれの非接触ＩＣカードもデータ通信不能状態に切り替わる。
【００６７】
上記実施例４のＩＣカードホルダー１００ｄによれば、携帯時は胸ポケットなどに入れて略垂直に立てて保持している状態では、２枚の非接触ＩＣカードとも仕切り板１１０に対して近づいて通信不能距離Ｌ２となりスキミングに対する防止性能が向上する。
【実施例５】
【００６８】
実施例５にかかるＩＣカードホルダー１００ｅは、本発明の第３のＩＣカードホルダーのうち、筐体内で非接触ＩＣカードのリーダ機器２０への相対傾斜角度を変化させ、通信可能傾斜角度Ｒ１と通信不能傾斜角度Ｒ２との間で切り替え可能とした傾斜角度切り替えタイプの基本形である。
ＩＣカードホルダー１００ｅの形状やデザインは限定されないが、本実施例５では一例として略直方体の形状として説明する。
【００６９】
図９は、実施例５にかかるＩＣカードホルダー１００ｅの基本構造を模式的に示す図である。図９（ａ）は正面図、図９（ｂ）は側面図、図９（ｃ）は断面図である。
実施例５のＩＣカードホルダー１００ｅは、導電体の仕切り板１１０ｅと、配置調整手段１２０ｅを備えている。
【００７０】
仕切り板１１０ｅは、図９（ｃ）に見るように内部で２枚の導電体が角度をつけて配された構造となっている。もちろん一枚の導電体を「くの字型」に折り曲げて一体に形成しても良い。
【００７１】
配置調整手段１２０ｅは、非接触ＩＣカード１０の配置を所定状態にするものであり、非接触ＩＣカード１０と仕切り板１１０ｅおよびリーダ機器２０からの照射磁界に対する傾斜角度を調整するものである。つまり、通信可能傾斜角度Ｒ１は、仕切り板１１０ｅにおいて発生する渦電流の磁界の影響が弱くなり、リーダ機器２０からの照射磁界との結合力を強くなるような非接触ＩＣカードの傾斜角度であり、通信不能傾斜角度Ｒ２は、仕切り板１１０ｅにおいて発生する渦電流の磁界の影響が強くなり、リーダ機器２０からの照射磁界との結合力が弱くなるような非接触ＩＣカードの傾斜角度である。配置調整手段１２０ｅは、非接触ＩＣカード１０の筐体内での状態を、この通信可能傾斜角度Ｒ１と通信不能傾斜角度Ｒ２との間で切り替えるものである。
【００７２】
この構成例では、図９（ｃ）に示すように、筐体内を空洞であるが、仕切り板１１０周辺に傾斜を持った筐体の傾斜構造物１２３があり、内部の非接触ＩＣカード１０が空洞内にて自由に動くようにし、ＩＣカードホルダー１００ｅをカードリーダ機器２０にかざすと内部の非接触ＩＣカード１０が重力で落下して動くようになっている。
つまり、中空の筐体内に仕切り板１１０を挟んで２枚の非接触ＩＣカード１０ａ，１０ｂを収納して自由に移動できるようにしておく。
【００７３】
図１０は実施例５のＩＣカードホルダー１００ｅの使用状態の例を模式的に示す図である。
図１０（ａ）のように非接触ＩＣカード１０ａをリーダ機器２０に対向させた場合、２枚の非接触ＩＣカード１０ａ、１０ｂとも内部で下方に落ちて当接するが、非接触ＩＣカード１０ａは通信可能傾斜角度Ｒ１、つまり、リーダ機器２０に対する傾斜角度が小さく正対する角度となり、リーダ機器２０からの照射磁界との結合力が強くなる一方、仕切り板１１０ｅに対する傾斜角度が大きくなり、仕切り板１１０ｅにおいて発生する渦電流の磁界の影響が弱くなるため、非接触ＩＣカード１０ａはリーダ機器２０との間でデータ通信が可能となる。
【００７４】
一方、リーダ機器２０に対向していない側の非接触ＩＣカード１０ｂは傾斜構造物１２３の存在によって通信不能傾斜角度Ｒ２、つまり、リーダ機器２０に対する傾斜角度が大きくなり、リーダ機器２０からの照射磁界との結合力が弱くなる一方、仕切り板１１０ｅに対して傾斜角度が小さくなり、仕切り板１１０ｅにおいて発生する渦電流の磁界の影響が大きくなるため、非接触ＩＣカード１０ｂはリーダ機器２０との間でデータ通信が不能となる。
【００７５】
次に、図１０（ｂ）のようにＩＣカードホルダーをひっくり返し、非接触ＩＣカード１０ｂをリーダ機器２０に対向させた場合、２枚の非接触ＩＣカード１０ａ、１０ｂとも内部で下方に落ちて当接するが、非接触ＩＣカード１０ｂは通信可能傾斜角度Ｒ１、つまり、リーダ機器２０に対する傾斜角度が小さく正対する角度となり、リーダ機器２０からの照射磁界との結合力が強くなる一方、仕切り板１１０ｅに対する傾斜角度が大きくなり、仕切り板１１０ｅにおいて発生する渦電流の磁界の影響が弱くなるため、非接触ＩＣカード１０ｂはリーダ機器２０との間でデータ通信が可能となる。
【００７６】
一方、リーダ機器２０に対向していない側の非接触ＩＣカード１０ａは傾斜構造物１２３の存在によって通信不能傾斜角度Ｒ２、つまり、リーダ機器２０に対する傾斜角度が大きくなり、リーダ機器２０からの照射磁界との結合力が弱くなる一方、仕切り板１１０ｅに対して傾斜角度が小さくなり、仕切り板１１０ｅにおいて発生する渦電流の磁界の影響が大きくなるため、非接触ＩＣカード１０ａはリーダ機器２０との間でデータ通信が不能となる。
【００７７】
上記実施例５のＩＣカードホルダー１００ｅによれば、仕切り板１１０と非接触ＩＣカード１０との傾斜角度を通信可能傾斜角度Ｒ１と通信不能傾斜角度Ｒ２の２つの状態で切り替えることにより、カードリーダ機器２０での読み取り時にはカードリーダ機器２０からの照射磁界との結合力を強くするとともに導電体による電磁遮断性能の影響を小さくしてデータ通信しやすい状態とし、読み取り時以外の時はカードリーダ機器２０からの照射磁界との結合力を弱くするとともに導電体による電磁遮断性能の影響を大きくし、データ通信を不能とすることができる。
【００７８】
なお、実施例５に示したＩＣカードホルダー１００ｅの配置調整手段１２０ｅの構造は、リーダ機器２０とのデータ通信が可能である通信可能傾斜角度Ｒ１への切り替えと、リーダ機器２０とのデータ通信が不能である通信不能傾斜角度Ｒ２への切り替えを行うとともに、カードリーダ機器２０での読み取り時以外の時、例えば、胸ポケットに携帯している時は、略垂直に立てて保持する際、配置調整手段１２０ｅにより、２枚の非接触ＩＣカードとも仕切り板１１０に対する傾斜角度を通信不能傾斜角度Ｒ２に切り替える仕組みとなっている。
【００７９】
なお、この実施例５の構成例でも、実施例４と同様、垂直に立てた時にいずれの非接触ＩＣカードも仕切り板１１０に対して寄りかかるように筐体の内壁に傾斜をつけておく工夫を施すことも可能であり、スキミングに対する防止性能が向上する。
【００８０】
なお、利用者の歩行などの影響や、利用者がかがんだり俯いたりするとＩＣカードホルダー１００ｅ内部の非接触ＩＣカードが移動するため、非接触ＩＣカード１０ａ、１０ｂと仕切り板１１０との相対的な傾斜角度が想定外の状態で静止する場合もあるので、バネなどの弾性体やスライダーなどにより静止状態が想定の状態となるように制御することも可能である。例えば、配置調整手段１２０ｅの構造としてスライダー１２４を仕込んでおき、操作によりスライダー１２４を動かして仕込み板１１０に対する非接触ＩＣカード１０ａ、１０ｂの傾斜角度状態を確実に制御するものである。図１１（ａ）はＩＣカードホルダー１００ｅを垂直に立て、上面から内部構造を模式的に表した平面図であり、スライダー１２４を移動させ非接触ＩＣカード１０ａ、１０ｂを仕込み板１１０に対して押し付けてデータ通信不能傾斜角度Ｌ２となるように制御する様子を示す図である。図１１（ｂ）はスライダー１２４を逆側に移動させ非接触ＩＣカード１０ａ、１０ｂを開放し、リーダー機器２０にかざすことによりデータ通信可能傾斜角度Ｌ１となるように制御する様子を示す図である。このようにスライダーやバネなどの弾性体のような制御体とスイッチ操作により非接触ＩＣカードの筐体内での姿勢を確実に制御せしめることができる。
【実施例６】
【００８１】
実施例６にかかるＩＣカードホルダー１００ｆは、本発明の第３のＩＣカードホルダーのうち、筐体内で仕切り板１１０との相対傾斜角度を変化させるとともに非接触ＩＣカードのリーダ機器２０への相対傾斜角度を変化させ、通信可能傾斜角度Ｒ１と通信不能傾斜角度Ｒ２との間で切り替え可能とした傾斜角度切り替えタイプの別の構造例である。
ＩＣカードホルダー１００ｆの形状やデザインは限定されないが、本実施例６では一例として本のように共通した回転軸を持つ筐体であり、ポケット１２６に挿入した非接触ＩＣカードが可動となる回転軸を提供し、回転軸に沿って非接触ＩＣカードの仕切り板１１０に対する傾斜角度とカードリーダ機器２０に対する傾斜角度を所定状態に可変としたものである。
【００８２】
図１２は、実施例６にかかるＩＣカードホルダー１００ｆの基本構造を模式的に示す図である。図１２（ａ）は正面図、図１２（ｂ）は側面図、図１２（ｃ）は断面図である。図１２（ｄ）はポケット１２６の回転軸１２７に対する動きを示す図である。
実施例６のＩＣカードホルダー１００ｆは、導電体の仕切り板１１０と、配置調整手段１２０ｆを備えている。
【００８３】
仕切り板１１０は、実施例１の仕切り板と同様で良く、一枚の導電体となっている。この例では仕切り板１１０は後述する筐体の回転軸１２７と共通した回転軸に配されている。
【００８４】
配置調整手段１２０ｆは、本のように共通した回転軸１２７と回転軸１２７を中心に回転するポケット１２６を備えた筐体であり、指で押したり引いたりすることにより、ポケット１２６の角度を変える仕組みとなっている。ポケット１２６は、非接触ＩＣカード１０を収納するものであり、ポケット１２６に非接触ＩＣカード１０を収納した状態で回転軸１２７に対して回転させれば仕切り板１１０に対する非接触ＩＣカード１０の相対傾斜角度とリーダ機器２０に対する相対傾斜角度が変化する。
【００８５】
図１３は、実施例６のＩＣカードホルダー１００ｆのポケットを利用者の指で押して移動させた様子を示す図である。この構成例では、ポケット１２６が２つある例となっている。  図１３（ａ）は利用者の指により、非接触ＩＣカード１０ｂを収納したポケット１２６ｂを仕切り板１１０に押し付け、非接触ＩＣカード１０ａを収納したポケット１２６ａを仕切り板１１０から遠ざけた様子を模式的に示した図である。
【００８６】
図１３（ａ）の状態では、非接触ＩＣカード１０ａは通信可能傾斜角度Ｒ１、つまり、リーダ機器２０に対する傾斜角度が小さく正対する角度となり、リーダ機器２０からの照射磁界との結合力が強くなる一方、仕切り板１１０ｆに対する傾斜角度が大きくなり、仕切り板１１０ｆにおいて発生する渦電流の磁界の影響が弱くなるため、非接触ＩＣカード１０ａはリーダ機器２０との間でデータ通信が可能となる。
【００８７】
一方、仕切り板１１０に押し付けた非接触ＩＣカード１０ｂは通信不能傾斜角度Ｒ２、つまり、リーダ機器２０に対する傾斜角度が大きくなり、リーダ機器２０からの照射磁界との結合力が弱くなる一方、仕切り板１１０ｆに対して傾斜角度が小さくなり、仕切り板１１０ｆにおいて発生する渦電流の磁界の影響が大きくなるため、非接触ＩＣカード１０ｂはリーダ機器２０との間でデータ通信が不能となる。
【００８８】
次に、図１３（ｂ）の状態は、逆に、利用者の指により、非接触ＩＣカード１０ａを収納したポケット１２４ａを仕切り板１１０に押し付け、非接触ＩＣカード１０ｂを収納したポケット１２６ｂを仕切り板１１０から遠ざけた様子を模式的に示した図である。
図１３（ｂ）の状態では、非接触ＩＣカード１０ｂは通信可能傾斜角度Ｒ１、つまり、リーダ機器２０に対する傾斜角度が小さく正対する角度となり、リーダ機器２０からの照射磁界との結合力が強くなる一方、仕切り板１１０ｆに対する傾斜角度が大きくなり、仕切り板１１０ｆにおいて発生する渦電流の磁界の影響が弱くなるため、非接触ＩＣカード１０ｂはリーダ機器２０との間でデータ通信が可能となる。
【００８９】
一方、仕切り板１１０に押し付けた非接触ＩＣカード１０ａは通信不能傾斜角度Ｒ２、つまり、リーダ機器２０に対する傾斜角度が大きくなり、リーダ機器２０からの照射磁界との結合力が弱くなる一方、仕切り板１１０ｆに対して傾斜角度が小さくなり、仕切り板１１０ｆにおいて発生する渦電流の磁界の影響が大きくなるため、非接触ＩＣカード１０ａはリーダ機器２０との間でデータ通信が不能となる。
【００９０】
また、スキミング防止に資するように、いずれの非接触ＩＣカードも使用しない場合の保持状態において、両側の非接触ＩＣカード１０ａ、１０ｂとも通信不能傾斜角度Ｒ２にする工夫を行うことも好ましい。
【００９１】
図１３（ｃ）はいずれの非接触ＩＣカードも使用しない場合の保持状態を示している。両側のポケット１２６ａ、１２６ｂとも仕切り板１１０に沿わせた状態となっている。この状態では、非接触ＩＣカード１０ａ、１０ｂとも通信不能傾斜角度Ｒ２、つまり、仕切り板１１０ｆに対して傾斜角度が小さくなり、仕切り板１１０ｆにおいて発生する渦電流の磁界の影響が大きくなるため、非接触ＩＣカード１０ｂはリーダ機器２０との間でデータ通信が不能となっている。
【実施例７】
【００９２】
実施例７にかかるＩＣカードホルダー１００ｇは、本発明の第４のＩＣカードホルダーであり、上記した実施例３および実施例４に示した第２のＩＣカードホルダー（筐体内での非接触ＩＣカードの導電体への相対距離を変化させるもの）と、実施例５に示した第３のＩＣカードホルダー（筐体内での非接触ＩＣカードの導電体への相対傾斜角度を変化させるもの）を組み合わせたものである。
ＩＣカードホルダー１００ｇの形状やデザインは限定されないが、本実施例７では一例として略直方体の形状として説明する。
【００９３】
図１４は、実施例７にかかるＩＣカードホルダー１００ｇの基本構造を模式的に示す図である。図１４（ａ）は正面図、図１４（ｂ）は側面図、図１４（ｃ）は断面図である。
実施例７のＩＣカードホルダー１００ｇは、導電体の仕切り板１１０と、配置調整手段１２０ｇを備えている。
【００９４】
仕切り板１１０は、実施例１の仕切り板と同様で良い。
配置調整手段１２０ｇは、非接触ＩＣカード１０の配置を所定状態にするものであり、仕切り板１１０と非接触ＩＣカード１０との間の距離と傾斜角度を調整するものである。つまり、リーダ機器２０からの照射磁界に対して、仕切り板１１０において発生する渦電流の磁界の影響を受けても、リーダ機器２０の照射磁界に対する結合力を強める傾斜角度としてリーダ機器２０とのデータ通信が可能である通信可能距離・傾斜角度ＬＲ１への切り替えと、仕切り板１１０において発生する渦電流の磁界の影響を大きくしつつリーダ機器２０の照射磁界との結合力を弱める傾斜角度としてリーダ機器２０とのデータ通信が不能となる通信不能距離・傾斜角度ＬＲ２への切り替えを行うものである。
【００９５】
この構成例では、図１４（ｃ）に示すように、筐体内を空洞であるが、仕切り板１１０周辺に傾斜を持った筐体の傾斜構造物１２３ｇがあり、内部の非接触ＩＣカード１０が空洞内にて自由に動くようにし、ＩＣカードホルダー１００ｇをカードリーダ機器２０にかざすと内部の非接触ＩＣカード１０が重力で落下して動くようになっている。つまり、中空の筐体内に仕切り板１１０を挟んで２枚の非接触ＩＣカード１０ａ，１０ｂを収納して自由に移動できるようにしておく。
【００９６】
図１５（ａ）のように非接触ＩＣカード１０ａをリーダ機器２０に対向させた場合、２枚の非接触ＩＣカード１０ａ、１０ｂとも内部で下方に落ちて当接するが、非接触ＩＣカード１０ａはリーダ機器２０に対向しつつ仕切り板１１０に対する距離が大きく、かつ、リーダ機器との傾斜角度が小さい通信可能距離・傾斜角度ＬＲ１となり、リーダ機器２０との間でデータ通信が可能となる。一方、リーダ機器２０に対向していない側の非接触ＩＣカード１０ｂは、仕切り板１１０に対して距離が小さく、かつ、傾斜構造物１２３ｆの存在によりリーダ機器２０に対して傾斜角度が大きい通信不能距離・傾斜角度ＬＲ２となり、リーダ機器２０との間でデータ通信が不能となる。
【００９７】
一方、  図１５（ｂ）のように非接触ＩＣカード１０ｂをリーダ機器２０に対向させた場合、２枚の非接触ＩＣカード１０ａ、１０ｂとも内部で下方に落ちて当接するが、非接触ＩＣカード１０ｂはリーダ機器２０に対向しつつ仕切り板１１０に対する距離が大きく、かつ、リーダ機器２０との傾斜角度が小さい通信可能距離・傾斜角度ＬＲ１となり、リーダ機器２０との間でデータ通信が可能となる。一方、リーダ機器２０に対向していない側の非接触ＩＣカード１０ａは、仕切り板１１０に対して距離が小さく、かつ、傾斜構造物１２３ｇの存在によりリーダ機器２０に対して傾斜角度が大きい通信不能距離・傾斜角度ＬＲ２となり、リーダ機器２０との間でデータ通信が不能状態に切り替わる。
【００９８】
上記実施例７のＩＣカードホルダー１００ｇによれば、仕切り板１１０と非接触ＩＣカード１０との距離と傾斜角度を通信可能距離・傾斜角度と通信不能距離・傾斜角度の２つの状態で切り替えることにより、カードリーダ機器２０での読み取り時には仕切り板１１０との距離を大きくして導電体による電磁遮断性能の影響を小さくするとともにリーダ機器２０に対する傾斜角度を小さくしてリーダ機器からの照射磁界と結合しやすくして、カードリーダ機器２０から照射される磁界によりデータ通信しやすい状態とする一方、読み取り時以外の時は仕切り板１１０との距離を小さくして導電体による電磁遮断性能の影響を大きくするとともにリーダ機器２０に対する傾斜角度を大きくしてリーダ機器２０からの照射磁界と結合しにくくして、データ通信を不能とすることができる。
【００９９】
なお、実施例７に示したＩＣカードホルダー１００ｇの配置調整手段１２０ｇの構造も実施例５と同様、図１５（ｃ）に示すように、カードリーダ機器２０での読み取り時以外の時、例えば、胸ポケットに携帯している時は、略垂直に立てて保持する際、配置調整手段１２０ｇにより、２枚の非接触ＩＣカードとも仕切り板１１０に対する距離を小さくするとともに傾斜角度をつけ通信不能距離・傾斜角度ＬＲ２に切り替える仕組みとなっており、スキミングに対する防止性能が向上する。
【０１００】
また、実施例５と同様、バネなどの弾性体やスライダーなどにより静止状態が想定の状態となるように制御することも可能である。
【実施例８】
【０１０１】
上記した実施例１から実施例７に説明した各々のＩＣカードホルダーにおいて、スキミング防止に資するように、検知機能を設ける工夫を行うことができる。例えば、非接触ＩＣカード１０が収まる筐体の一部に外部からの磁界照射を受けて電流を生じる検知用アンテナコイル１３０と、検知用アンテナコイル１３０で得た起電力により非接触ＩＣカードに対する磁界照射があったことを利用者が五感により認識可能な方法で通知するアクセス検知体１４０とを備えたものとする。
【０１０２】
検知用アンテナコイル１３０の形状は限定されないが、非接触ＩＣカードが反応する周波数の電磁波により効率的に起電力が生じるように共振周波数が調整されたものとすることが好ましい。ここでは、検知用アンテナコイル１３０の形状が、非接触ＩＣカードに内蔵されているアンテナコイルの形状と略同一の形状をもち略同一の共振周波数を持つ例とする。例えば、交通機関の非接触ＩＣカードに内蔵されているアンテナコイルの外形や、金融機関のキャッシュカードとして使用される非接触ＩＣカード（例えばＪＲ東日本のＳｕｉｃａ（ＴＭ）やＪＲ西日本のＩｃｏｃａ（ＴＭ）、Ｆｅｌｉｃａ（ＴＭ）など）に内蔵されているアンテナコイルの外形と略同一の形状となっている。
【０１０３】
検知用アンテナコイル１３０の外形を、交通機関の非接触ＩＣカードや金融機関のキャッシュカードに内蔵されるアンテナコイルの形状と略同一の形状としておくことにより、当該非接触ＩＣカードに対して電磁結合する所定周波数を持つ磁界が外部から磁界が印加されたか否かを感度良く反応することができる。
【０１０４】
照射磁界を検知用アンテナコイル１３０が捉えれば、検知用アンテナコイル１３０には起電力が誘起される。つまり、照射磁界にさらされた場合にのみ起電力を発生して検知体に電力が供給される仕掛けとなっている。ＩＣカードホルダー自体は電源などを持っていないので電源切れなどの心配はない。
【０１０５】
検知体１４０は、検知用アンテナコイル１３０に接続され、検知用アンテナコイル１３０に誘起された起電力により駆動するものとなっている。例えば、発音体、振動体、発光体など人間の五感に検知させる機能を備えたものである。
なお、仕切り板１１０が存在するため、これら検知用アンテナコイル１３０と検知体１４０とのセットをＩＣカードホルダーの筐体の両側に組み込んでおくことも好ましい。
【０１０６】
図１６は、一例として実施例１に示したＩＣカードホルダー１００に対して検知用アンテナコイル１３０と検知体１４０を組み込んだＩＣカードホルダー１００ｈとし、その動作を側面から模式的に示す図である。
図１６（ａ）は、ＩＣカードホルダー１００ｈに対して外部からカードリーダ３００によって不正アクセスが試みられた状態を側面から示した図である。
図１６（ｂ）の状態では不正アクセスを試みるカードリーダ３００が本発明のＩＣカードホルダー１００ｈの正面に対向するように位置し、カードリーダ３００から発信された磁界がＩＣカードホルダー１００ｈに対して正面から印加されている。
【０１０７】
カードリーダ３００から発振された磁界は、検知用アンテナコイル１３０を貫いてカードリーダ３００に戻り、カードリーダ３００と検知用アンテナコイル１３０が電磁結合をするため、検知用アンテナコイル１３０には起電力が誘起され、検知体１４０に電力が供給される。検知体１４０に電力が供給されると検知体１４０は所定の駆動を行なう。例えば、発光素子を備えたものであれば発光することにより利用者に不正アクセス用の磁界印加の検知を伝達する。発音素子を備えたものであればビープ音などを発音することにより利用者に不正アクセス用の磁界印加の検知を伝達する。振動素子であれば振動により利用者の触覚に伝達する。
【０１０８】
以上、本発明の好ましい実施例を図示して説明してきたが、本発明の技術的範囲を逸脱することなく種々の変更が可能であることは理解されるであろう。従って本発明の技術的範囲は添付された特許請求の範囲の記載によってのみ限定されるものである。
【産業上の利用可能性】
【０１０９】
本発明のＩＣカードホルダーは、非接触ＩＣカードを用いるカードシステムに適用することができる。本発明の非接触ＩＣカードは、アンテナコイルとＩＣチップとを内蔵したものであれば良く、非接触ＩＣカード、携帯通信機器（例えばフェリカ（ＴＭ）を内蔵した携帯電話）など多様なものが含まれ、その用途は限定されない。例えば、交通機関の改札カード、金融機関のキャッシュカードやクレジットカード、入退室管理カードなどの用途が想定できる。
【符号の説明】
【０１１０】
１０  非接触ＩＣカード
２０  カードリーダ機器
１００  ＩＣカードホルダー
１１０  仕切り板
１２０  配置調整手段
１２１  ポケット
１２２  非導電性材料
１２３  傾斜構造物
１２４  スライダー
１２５  スイッチ
１２６  ポケット
１２７  回転軸
１３０  検知用アンテナコイル
１４０  検知体
【図１】
2010176428.tif 000003
【図２】
2010176428.tif 000004
【図３】
2010176428.tif 000005
【図４】
2010176428.tif 000006
【図５】
2010176428.tif 000007
【図６】
2010176428.tif 000008
【図７】
2010176428.tif 000009
【図８】
2010176428.tif 000010
【図９】
2010176428.tif 000011
【図１０】
2010176428.tif 000012
【図１１】
2010176428.tif 000013
【図１２】
2010176428.tif 000014
【図１３】
2010176428.tif 000015
【図１４】
2010176428.tif 000016
【図１５】
2010176428.tif 000017
【図１６】
2010176428.tif 000018